(57)【要約】【課題】加熱調理器の加熱部と天板の両端との間のスペースを有効に利用することができる対面式調理台を提案する。【解決手段】対面式調理台１は、互いに直交する長手方向と短手方向を有する天板２と、天板２の一部に設けられた加熱調理器３とを備える。加熱調理器３は、加熱調理器具４が載せられる加熱部３０を有する。加熱部３０は、天板２の前記短手方向の中央部に位置する。対面式調理台１では、天板２の前記短手方向の一端と加熱部３０との間に、食器５が置かれる平坦な第一食卓面２０が設けられ、天板２の前記短手方向の他端と加熱部３０との間に、食器５が置かれる平坦な第二食卓面２１が設けられる。【選択図】図１
2019050842.tif 000002
【特許請求の範囲】
【請求項１】
互いに直交する長手方向と短手方向を有する天板と、
前記天板の一部に設けられた加熱調理器と、を備え、
前記加熱調理器は、加熱調理器具が載せられる加熱部を有し、
前記加熱部は、前記天板の前記短手方向の中央部に位置し、
前記天板の前記短手方向の一端と前記加熱部との間に、食器が置かれる平坦な第一食卓面が設けられ、
前記天板の前記短手方向の他端と前記加熱部との間に、食器が置かれる平坦な第二食卓面が設けられることを特徴とする対面式調理台。
【請求項２】
前記第一食卓面と前記第二食卓面のそれぞれの前記短手方向の長さは、２９０ｍｍ以上３６０ｍｍ以下の範囲内であることを特徴とする請求項１に記載の対面式調理台。
【請求項３】
前記加熱調理器は、前記加熱部を複数有し、
複数の前記加熱部は、前記長手方向に沿って一列に並んでいることを特徴とする請求項１または２に記載の対面式調理台。
【請求項４】
前記長手方向において前記加熱調理器に並んで位置するシンクを、さらに備えることを特徴とする請求項１乃至３のいずれか一項に記載の対面式調理台。
【請求項５】
前記加熱調理器は、前記加熱部を操作するための第一操作部と第二操作部を、さらに含み、
前記第一操作部は、前記第一食卓面の下方に設けられ、
前記第二操作部は、前記第二食卓面の下方に設けられることを特徴とする請求項１乃至４のいずれか一項に記載の対面式調理台。
【請求項６】
前記天板を支持し、かつ前記天板の下方に開放空間を形成するように設けられた脚部を、さらに備え、
前記開放空間は、前記第一食卓面の下方に位置し、前記短手方向の一側に開放された第一開放空間と、前記第二食卓面の下方に位置し、前記短手方向の他側に開放された第二開放空間とを含むことを特徴とする請求項１乃至５のいずれか一項に記載の対面式調理台。
【請求項７】
前記第一食卓面と前記第二食卓面の下方に位置するように、前記天板の下方に設けられたキャビネットを、さらに備えることを特徴とする請求項１乃至５のいずれか一項に記載の対面式調理台。
【請求項８】
前記加熱調理器は、トッププレートを含んだ電磁加熱調理器であり、
前記トッププレートの上面と、前記天板のうち前記トッププレートの周囲の部分の上面とが面一に連続することを特徴とする請求項１乃至７のいずれか一項に記載の対面式調理台。
【請求項９】
前記加熱調理器は、ガス調理器であり、
前記加熱部は、ガスバーナーと、その上に位置する載せ台であることを特徴とする請求項１乃至７のいずれか一項に記載の対面式調理台。
【発明の詳細な説明】
【技術分野】
【０００１】
本発明は、対面式調理台に関する。
【背景技術】
【０００２】
特許文献１には、天板の長手方方向の一端部にドロップイン式調理器が取り付けられ、天板の長手方向の他端部にシンクが取り付けられた対面型キッチンが記載されている。
【０００３】
ドロップイン式調理器は、上面がガラスセラミックなどで構成されたトッププレートで構成されており、このトッププレートが、天板に設けられた組込み用穴の周縁部分に載せられて設置されている。
【０００４】
ドロップイン式調理器は、その中央部に電磁誘導コイルなどで構成された加熱部が設けられている。
【先行技術文献】
【特許文献】
【０００５】
【特許文献１】特許第４７６９５２０号公報
【発明の概要】
【発明が解決しようとする課題】
【０００６】
特許文献１に記載の対面型キッチンでは、ドロップイン式調理器のトッププレートの上面と、その周囲の天板の上面との間に段差があり、そのため、加熱部と天板の短手方向の両端との間のスペースを、まな板や皿を置くスペースとして利用しにくい。
【０００７】
上記事情に鑑みて、本発明は、加熱調理器の加熱部と天板の両端との間のスペースを有効に利用することができる対面式調理台を提案することを、目的とする。
【課題を解決するための手段】
【０００８】
本発明に係る一態様の対面式調理台は、互いに直交する長手方向と短手方向を有する天板と、前記天板の一部に設けられた加熱調理器と、を備える。
【０００９】
前記加熱調理器は、加熱調理器具が載せられる加熱部を有し、前記加熱部は、前記天板の前記短手方向の中央部に位置する。
【００１０】
前記天板の前記短手方向の一端と前記加熱部との間に、食器が置かれる平坦な第一食卓面が設けられ、前記天板の前記短手方向の他端と前記加熱部との間に、食器が置かれる平坦な第二食卓面が設けられる。
【発明の効果】
【００１１】
本発明は、加熱調理器の加熱部と天板の両端との間のスペースを有効に利用することができる対面式調理台を提案することができるといった効果を奏する。
【図面の簡単な説明】
【００１２】
【図１】図１は、本発明に係る実施形態１の対面式調理台を示す斜視図である。
【図２】図２は、同上の対面式調理台の天板と加熱調理器を示す平面図である。
【図３】図３は、同上の対面式調理台の利用例を示す斜視図である。
【図４】図４は、同上の対面式調理台の他の利用例を示す斜視図である。
【図５】図５は、同上の対面式調理台の変形例を示す斜視図である。
【図６】図６は、同上の変形例の天板と加熱調理器を示す平面図である。
【図７】図７Ａは、同上の対面式調理台の他の変形例の天板と加熱調理器を示す平面図であり、図７Ｂは、同上の対面式調理台のさらに他の変形例の天板と加熱調理器を示す平面図である。
【発明を実施するための形態】
【００１３】
本発明は、対面式調理台に関し、より詳細には、加熱調理器の加熱部で加熱調理しつつ、その周囲で、調理や食事を行うことが可能な対面式調理台に関する。
【００１４】
［実施形態１］
１．概要
実施形態１の対面式調理台１は、図１に示すように、長板状の天板２と、天板２の一部に設けられた加熱調理器３とを備える。加熱調理器３は、フライパン、鍋等の加熱調理器具４が載せられる加熱部３０を有する。加熱部３０は、天板２の短手方向の中央部に位置する。天板２の短手方向の一端と加熱部３０との間には、皿等の食器５が置かれる平坦な第一食卓面２０が設けられ、天板２の短手方向の他端と加熱部３０との間には、食器５が置かれる平坦な第二食卓面２１が設けられる。対面式調理台１は、シンク６と、脚部７と、キャビネット８とをさらに備える。対面式調理台１は、本実施形態では、アイランド型である。対面式調理台１は、加熱調理器３の上方に設置される排気設備（図示せず）と共に用いられる。
【００１５】
２．各構成についての説明
２−１．天板
天板２は、互いに直交する長手方向と短手方向を有する長板状であり、本実施形態では、平面視長方形状である。以下では、天板２の長手方向を左右方向とし、天板２の短手方向を前後方向とし、天板２の厚み方向を上下方向として、各構成について説明する。
【００１６】
天板２は、左右方向の長さが、例えば２，３００〜２，７５０ｍｍであり、前後方向の長さが、例えば８００ｍｍであり、上面の高さが、例えば８５０ｍｍである。天板２は、例えば人造大理石製である。
【００１７】
天板２は、加熱調理器３が設置される第一取付孔２２を左半部に有し、シンク６が設置される第二取付孔２３を右半部に有する。第一取付孔２２は、天板２の前後の端からの距離が互いに同じであり、第二取付孔２３も、天板２の前後の端からの距離が互いに同じである。
【００１８】
第一取付孔２２は、平面視矩形状の凹部と、この凹部の中央部に位置する平面視矩形状の貫通孔とを含む。凹部の深さは、加熱調理器３が備えるトッププレート３１の厚みと略同じであり、凹部の前後方向の長さ及び左右方向の長さは、トッププレート３１の前後方向の長さ及び左右方向の長さとそれぞれ略同じである。第一取付孔２２は、天板２の前後の端から僅か（２０ｍｍ程度）に離れて位置する。第二取付孔２３は、天板２を上下方向に貫通した平面視正方形状の貫通孔である。
【００１９】
天板２は、天板２の上面の一部で構成され、左右方向において、第一取付孔２２と第二取付孔２３の間に位置する作業面２４を有する。作業面２４の左右方向の長さは、例えば３００〜７５０ｍｍである。
【００２０】
２−２．加熱調理器
加熱調理器３は、本実施形態では、電磁加熱調理器である。加熱調理器３は、上面が平坦なガラス製のトッププレート３１と、トッププレート３１の前後方向の中央部に位置する複数の加熱部３０と、複数の加熱部３０を操作するための操作部３２とを備える。加熱調理器３は、魚等を焼くためのグリルを備えない薄型の加熱調理器である。
【００２１】
加熱調理器３は、トッププレート３１の下面に対して着脱可能なケース（図示せず）と、各加熱部３０の状態（加熱状態または非加熱状態）を示す表示部３３と、ファン等の排熱装置（図示せず）をさらに備える。排熱装置によって、ケース内の空気は、脚部７内を通じて脚部７の下端部から排出される。ケースは、トッププレート３１の下面に接着された金属製の取付板に対してねじで固定されることによって、トッププレート３１に対して着脱可能である。
【００２２】
２−２−１．トッププレート
トッププレート３１は、本実施形態では、長方形の板状であり、左右方向の長さが、前後方向の長さよりも長い。トッププレート３１の前後方向の長さは、天板２の前後方向の長さよりも若干（例えば４０ｍｍ）短い。
【００２３】
図２に示すように、トッププレート３１の上面には、前後一対の第一ライン３１０と、その前後方向の外側に位置する前後一対の第二ライン３１１とが設けられている。前後一対の第一ライン３１０は、複数の加熱部３０が位置する加熱領域Ａ１と、その前後に隣接して位置する第一領域Ａ２とを分ける線であり、互いに平行である。前後一対の第二ライン３１１は、前後一対の第一領域Ａ２と、その前後方向の外側に隣接して位置する第二領域Ａ３とを分ける線であり、互いに平行である。
【００２４】
ライン３１０，３１１は、トッププレート３１の上面温度の目安となるラインである。利用者は、ライン３１０，３１１を目印にして、トッププレート３１の上に置く食器５や調理器具を選択することができる。
【００２５】
前後一対の第一ライン３１０の間隔は、例えば２００ｍｍであり、前後一対の第二ライン３１１の間隔は、例えば４００ｍｍである。第二領域Ａ３は、加熱領域Ａ１で加熱調理を行う際に、上面温度が、例えば４２度よりも上がりにくい領域である。樹脂等の熱に弱い材質の食器５や調理器具は、前後一対の第二ライン３１１よりも外側の第二領域Ａ３上に置くことが好ましい。
【００２６】
２−２−２．加熱部
複数の加熱部３０のそれぞれは、所定のパターンで配線された電磁誘導コイルと、トッププレート３１のうち電磁誘導コイルの真上に位置する部分とで構成される。複数の加熱部３０のそれぞれは、前後方向の長さ（つまり直径）が、例えば２００ｍｍの円形状である。複数の加熱部３０は、天板２の短手方向の中央部（つまり対面式調理台１の短手方向の中央部）に位置する。なお、本明細書において、中央部とは、完全な中央部分に限らず、およそ中央の部分も含む。各加熱部３０の電磁誘導コイルは、加熱調理器３のケース内に内蔵される。
【００２７】
複数の加熱部３０は、左右方向（つまり天板２の長手方向）に一列に並んだ、例えば４つの加熱部３０で構成される。４つの加熱部３０は、前後方向の長さが互いに同じであり、中心の前後位置も互いに同じである。
【００２８】
２−２−３．表示部
表示部３３は、前後一対の線状の発光部３３０を複数組み備える。前後一対の発光部３３０の組数は、複数の加熱部３０の数に対応しており、本実施形態では４組である。各発光部３３０は、ＬＥＤ等の発光装置で構成される。各発光部３３０の発光は、トッププレート３１を通じて上方から視認可能である。表示部３３は、加熱調理器３のケース内に内蔵される。
【００２９】
前後一対の発光部３３０は、各加熱部３０の前側と後側に一直線状に設けられ、互いに平行である。本実施形態では、前後一対の発光部３３０は、前後一対の第一ライン３１０よりも僅かに前後方向の外側に位置している。前後一対の発光部３３０は、例えば、対応する加熱部３０が加熱状態にあるときに点灯し、対応する加熱部３０が非加熱状態にあるときに消灯する。
【００３０】
なお、前後一対の発光部３３０は、その長手方向（つまり左右方向）の一部が不連続な一直線状であってもよい。本実施形態では、４つの加熱部３０のうち、中２つの加熱部３０に対応する前後一対の発光部３３０が、長手方向の中間部分が不連続な一直線状となっている。
【００３１】
２−２−４．操作部
図１に示すように、操作部３２は、第一食卓面２０の下方に出し入れ可能に設けられる第一操作部３２０と、第二食卓面２１の下方に出し入れ可能に設けられる第二操作部３２１を含む。複数の加熱部３０のそれぞれは、第一操作部３２０と第二操作部３２１の両方によって、操作可能である。
【００３２】
第一操作部３２０は、天板２の前端部の下面に取り付けられ、天板２の前端部の下方の収納位置と、この収納位置よりも前方の操作位置との間で移動可能である。第二操作部３２１は、天板２の後端部の下面に取り付けられ、天板２の後端部の下方の収納位置と、この収納位置よりも後方の操作位置との間で移動可能である。天板２の下面には、例えば、操作部３２０，３２１を前後方向にスライド可能に支持するスライド機構が設けられる。
【００３３】
操作部３２０，３２１のそれぞれは、その上面に操作ボタンを備えている。操作ボタンは、操作部３２０，３２１が操作位置にあるときに、操作可能であり、操作部３２０，３２１が収納位置にあるときに、操作不可である。
【００３４】
２−２−５．加熱調理器の取付方法
加熱調理器３は、天板２に対して下記のように設置される。すなわち、トッププレート３１が、天板２の第一取付孔２２の凹部に配され、ケースが、第一取付孔２２の貫通孔内に挿通される。ケースの下部は、貫通孔から下方へ突出する。ケースをトッププレート３１に固定するねじは、下方から視て第一取付孔２２の貫通孔の内側に位置する。
【００３５】
トッププレート３１と第一取付孔２２の凹部の周縁との隙間は、シーリング３４によって埋められる。シーリング３４は、例えば、ツヤ消し仕上げとするための充填材を０．１重量％以下としたツヤ有り仕上げのシリコンシーラントを隙間に充填した後、充填したシリコンシーラントの上面を、研磨剤を含んだスポンジ等で研磨してツヤ消しすることによって、隙間に設けられる。シーリング３４の上面は、ツヤ消しすることによって、塗った痕の波立ちが目立ちにくくなり、見栄えがよくなる。また、シーリング３４は、上述のツヤ有り仕上げのシリコンシーラントを用いることで、こすっても充填材が出てこず、掃除しやすい。
【００３６】
トッププレート３１の上面と、天板２のうちトッププレート３１の平面視における周囲の部分の上面とは、面一に連続する。なお、本明細書において、面一とは、２つの面が完全な同一平面上に位置する場合に限らず、２つの面が僅かな段差（３ｍｍ程度）を介して並ぶ場合も含む。
【００３７】
加熱調理器３は、ケースをトッププレート３１に固定するねじを下方から取り外すことで、ケースを取り外すことが可能である。このようにケースを取り外すことで、ケース内の部品の点検、交換が可能となる。
【００３８】
２−３．食卓面
図２に示すように、第一食卓面２０は、トッププレート３１のうち、複数の加熱部３０よりも前側に位置する部分の上面と、天板２のうちトッププレート３１よりも前側の部分（天板２の前端部）の上面とで構成される。第二食卓面２１は、トッププレート３１のうち、複数の加熱部３０よりも後側に位置する部分の上面と、天板２のうちトッププレート３１よりも後側の部分（天板２の後端部）の上面とで構成される。第一食卓面２０と第二食卓面２１のそれぞれは、平坦面である。
【００３９】
第一食卓面２０の前後方向の長さＬ１と第二食卓面２１の前後方向の長さＬ２のそれぞれは、２９０ｍｍ以上３６０ｍｍ以下の範囲内である。天板２の短手方向の一端（前端）から各加熱部３０の中心までの前後方向の距離Ｌ３と、天板２の短手方向の他端（後端）から各加熱部３０の中心までの前後方向の距離Ｌ４のそれぞれは、３８０ｍｍ以上４６０ｍｍ以下の範囲内である。本実施形態では、長さＬ１と長さＬ２は、同じであり、距離Ｌ３と距離Ｌ４は、同じである。
【００４０】
長さＬ１，Ｌ２、距離Ｌ３，Ｌ４が上記の範囲内にあるとき、天板２の前側の立位または座位の利用者と、天板２の後側の立位または座位の利用者のどちらにとっても、各加熱部３０上の加熱調理器具４へ手が届きやすい。またこのとき、どちらの利用者にとっても、各加熱部３０と天板２の前後の端との間の食卓面２０，２１に、食器５が置きやすい。
【００４１】
２−４．シンク
図１に示すように、シンク６は、左右方向（天板２の長手方向）において加熱調理器３に並ぶように設けられる。本実施形態では、シンク６は、その底部分が、天板２よりも下方に位置するように、第二取付孔２３に設置される。
【００４２】
シンク６は、排水孔が設けられた底壁６０と、底壁６０に段差を介して連続する上段の棚部６１を有する。棚部６１上に水栓６２が設けられる。
【００４３】
シンク６は、天板２の前端からの距離と天板２の後端からの距離が同じとなるように、配置されている。
【００４４】
２−５．脚部
脚部７は、天板２を支持し、かつ天板２の下方に開放空間Ｓ１を形成するように設けられる。開放空間Ｓ１は、第一食卓面２０の下方に位置し、前側（天板２の短手方向の一側）に開放された第一開放空間Ｓ２と、第二食卓面２１の下方に位置し、後側（天板２の短手方向の他側）に開放された第二開放空間Ｓ３とを含む。
【００４５】
脚部７は、本実施形態では、天板２の左端部の下方に、１枚の前後方向に長い壁状に設けられている。開放空間Ｓ１は、脚部７とキャビネット８との間の空間であり、本実施形態では、前側と後側の両方に開放された空間である。つまり、本実施形態では、開放空間Ｓ１は、互いに連通した第一開放空間Ｓ２と第二開放空間Ｓ３とで構成される。
【００４６】
開放空間Ｓ２，Ｓ３のそれぞれは、その左右方向の長さが、例えば１１００ｍｍである。開放空間Ｓ２，Ｓ３のそれぞれには、椅子に座った二人の利用者が横（左右）に並んで両脚を入れることが可能である。
【００４７】
２−６．キャビネット
キャビネット８は、シンク６の底部分を収容するように、天板２の下方に一体に設けられる。キャビネット８は、作業面２４と第二取付孔２３の下方に位置する。キャビネット８には、食器洗浄機８０が出し入れ可能に収容される。食器洗浄機８０は、キャビネット８のうち、作業面２４の下方の部分に、収容される。
【００４８】
キャビネット８には、シンク６の底部分の他に、シンク６の排水孔に接続された排水管（図示せず）と、水栓６２に接続された給水管（図示せず）が収容される。キャビネット８には、加熱調理器具４を含む各種の調理器具や食器５等も収容可能である。
【００４９】
キャビネット８は、その前面に、複数の戸８１を有する。複数の戸８１のうち、シンク６の底部分の前方に位置する戸８１は固定された戸であり、残りの戸８１は、引き出しの前板あるいは開き戸である。
【００５０】
２−７．その他
対面式調理台１は、収納位置にあるときの操作部３２０，３２１と、加熱調理器３のケースを下方から覆うカバー９をさらに備える。カバー９は、天板２の下面に対して着脱可能に取り付けられる。カバー９は、例えば、ねじ等によって天板２の下面に取り付けられる。
【００５１】
対面式調理台１と共に利用される椅子１０（図３参照）としては、天板２が立った姿勢での利用に適した高さを有するため、座面が高く、脚置きを有する椅子１０が好適に用いられる。
【００５２】
３．作用効果
以上説明した本実施形態の対面式調理台１では、図３に示すように、複数の加熱部３０が天板２の短手方向の中央部に位置し、複数の加熱部３０と天板２の短手方向の両端との間に、食器５を置くことのできる平坦な食卓面２０，２１が設けられる。
【００５３】
そのため、本実施形態の対面式調理台１では、複数（例えば２名）の利用者が、天板２を挟んで対面して椅子１０に座り、天板２の下方の開放空間Ｓ１に両脚を入れて、対面式調理台１をテーブルのように利用することができる。そして、複数の利用者は、複数の加熱部３０上に載せた加熱調理器具４で加熱調理をしつつ、食卓面２０，２１に食器５を置いて、食事を行うことができる。
【００５４】
このとき、天板２の前端から各加熱部３０の中心までの距離Ｌ３と、天板２の後端から各加熱部３０の中心までの距離Ｌ４が、同じであるため、天板２の前後に座る利用者は、同様の使い勝手で、加熱調理器具４内の料理を取り出すことができる。
【００５５】
また、本実施形態の対面式調理台１では、天板２の短手方向の両端から加熱部３０の中心までの距離Ｌ３，Ｌ４が、３８０ｍｍ以上４６０ｍｍ以下の範囲内であるため、加熱調理器具４での調理が行いにくくならないうえ、食卓面２０，２１の広さも確保しやすい。
【００５６】
さらに本実施形態の対面式調理台１では、複数の加熱部３０を左右方向に一列に配置したことで、複数の加熱部３０の前後方向の配置スペースを抑えることができ、これにより、天板２の前後方向の長さを抑えて、天板２のコンパクト化が図れる。
【００５７】
また、本実施形態の対面式調理台１では、トッププレート３１のうち、前後一対の第一領域Ａ２は、加熱領域Ａ１に置かれた加熱調理器具４の温度が伝わって温かくなりやすい部分である。ここで、ライン３１０，３１１が目印になるため、第一領域Ａ２がわかりやすい。
【００５８】
また、本実施形態の対面式調理台１では、利用者は、冷たい飲み物などの温めたくないものを、前後一対の第二ライン３１１を目印にして、第二領域Ａ３に置くことができる。
【００５９】
また、本実施形態の対面式調理台１では、図４に示すように、食卓面２０，２１にまな板や皿等を置いて、調理作業を行うことも可能であり、加熱調理器３とシンク６との間の作業面２４でのみ調理を行う場合に比べて、使い勝手がよい。
【００６０】
また、本実施形態の対面式調理台１では、操作部３２０，３２１の両方で複数の加熱部３０を操作できるため、複数の利用者が対面して加熱調理を行う際に、使い勝手が良い。
【００６１】
また、本実施形態の対面式調理台１では、シンク６が天板２の前後の端から同じ距離にあるため、対面する複数の利用者のどちらにとっても、シンク６が使いやすい。
【００６２】
４．変形例
上述した実施形態１の対面式調理台１は、下記の変形例を採用可能である。
【００６３】
天板２は、矩形板状に限らず、例えば、楕円状等のその他の平面視形状を有する長板状であってもよい。
【００６４】
加熱調理器３は、加熱部３０を１つだけ備えてもよく、また、加熱部３０を２つまたは３つ、または５つ以上備えてもよい。
【００６５】
対面式調理台１は、シンク６及びキャビネット８を備えなくてもよく、この場合、天板２は、第二取付孔２３を備えない。
【００６６】
加熱調理器３は、第一操作部３２０と第二操作部３２１のうち、どちらか一方だけを備えてもよい。
【００６７】
加熱調理器３のトッププレート３１は、天板２の短手方向の長さと同程度の長さを有するものに限らず、図５、図６に示す変形例のように、複数の加熱部３０よりも前後方向に若干長いものであってもよい。トッププレート３１は、複数の加熱部３０を収容するケースの前後長さと同程度の前後長さであってもよい。この変形例においても、複数の加熱部３０が天板２の短手方向の中央部に位置するように、天板２に加熱調理器３が設置されている。この変形例では、トッププレート３１は、ライン３１０，３１１を備えない。
【００６８】
また、図５に示す変形例のように、対面式調理台１は、脚部７に代えて、食卓面２０，２１の下方に位置するキャビネット８を備えてもよく、食卓面２０，２１の下方には、開放空間Ｓ２，Ｓ３が設けられなくてもよい。
【００６９】
また、加熱調理器３は、電磁加熱調理器に限定されず、図７Ａ，図７Ｂに示すように、ガス調理器であってもよい。この場合、各加熱部３０は、ガスバーナー３５と、その上に位置する五徳３６０などの載せ台３６である。なお、載せ台３６は、五徳３６０に限らず、トッププレート３１の一部であってもよい。この場合、ガスバーナー３５は、トッププレート３１の下方に配され、トッププレート３１のうちガスバーナー３５の上方部分には、貫通孔が設けられ、トッププレート３１のうち貫通孔の周縁部分が、載せ台３６を構成する。
【００７０】
脚部７は、１枚の壁状に限らず、その形状や配置を適宜選択可能である。脚部７は、例えば、矩形枠状であってもよいし、複数の柱状であってもよい。また、脚部７は、例えば、天板２の前後方向の中央部の下方に、１枚の左右方向に長い壁状に設けられてもよい。
【００７１】
天板２の短手方向の両端から各加熱部３０の中心までの距離Ｌ３，Ｌ４は、上記の範囲内で一方が他方よりも若干短くなるように設定してもよい。この場合、一人で調理する際に、各加熱部３０までの距離が短くなって調理がしやすく、その後、対面して複数人で食事を行う際には、もう片側からも各加熱部３０に手が届く。
【００７２】
食卓面２０，２１の前後方向の長さＬ１，Ｌ２と、天板２の前後の端から加熱部３０の中心までの距離Ｌ３，Ｌ４は、上記の範囲内に限らず、加熱部３０への手の届きやすさ及び食卓面２０，２１への食器５の置きやすさを考慮したうえで、適宜設定可能である。
【００７３】
対面式調理台１は、アイランド型に限らず、ペニンシュラ型であってもよい。
【００７４】
［まとめ］
以上説明した実施形態１及びその変形例の対面式調理台１のように、第一態様の対面式調理台１は、下記の第一の特徴を備える。
【００７５】
すなわち、第一態様の対面式調理台１は、互いに直交する長手方向と短手方向を有する天板２と、天板２の一部に設けられた加熱調理器３とを備える。
【００７６】
加熱調理器３は、加熱調理器具４が載せられる加熱部３０を有する。加熱部３０は、天板２の前記短手方向の中央部に位置する。
【００７７】
第一態様の対面式調理台１では、天板２の前記短手方向の一端と加熱部３０との間に、食器５が置かれる平坦な第一食卓面２０が設けられ、天板２の前記短手方向の他端と加熱部３０との間に、食器５が置かれる平坦な第二食卓面２１が設けられる。
【００７８】
上記の特徴を備えることで、第一態様の対面式調理台１では、加熱部３０で加熱調理しながら、加熱部３０と天板２の短手方向の端との間の平坦な食卓面２０，２１に、皿等の食器５を置いて食事を行うことができる。また、第一態様の対面式調理台１では、食卓面２０，２１に、まな板等を置いて調理作業を行うこともできる。したがって、第一態様の対面式調理台１では、加熱調理器３の加熱部３０と天板２の両端との間のスペースを有効に利用することができる。
【００７９】
また、上述した実施形態１及びその変形例の対面式調理台１のように、第二態様の対面式調理台１は、第一態様の対面式調理台１の特徴に加えて、下記の第二の特徴を備える。
【００８０】
すなわち、第二態様の対面式調理台１では、第一食卓面２０と第二食卓面２１のそれぞれの前記短手方向の長さＬ１，Ｌ２は、２９０ｍｍ以上３６０ｍｍ以下の範囲内である。
【００８１】
上記の特徴を備えることで、第二態様の対面式調理台１では、食卓面２０，２１に食器５を置くことができ、そのうえで、天板２の短手方向の両端から加熱部３０までの距離が大きくなり過ぎず、加熱部３０に載せた加熱調理器具４での加熱調理が行いやすい。
【００８２】
また、上述した実施形態１及びその変形例の対面式調理台１のように、第三態様の対面式調理台１は、第一または第二態様の対面式調理台１の特徴に加えて、下記の第三の特徴を備える。
【００８３】
すなわち、第三態様の対面式調理台１では、加熱調理器３は、加熱部３０を複数有する。複数の加熱部３０は、前記長手方向に沿って一列に並んでいる。
【００８４】
上記の特徴を備えることで、第三態様の対面式調理台１では、複数の加熱部３０のそれぞれにおいて、天板２の短手方向の一端からの距離と他端からの距離が同じであるため、いずれの加熱部３０も、天板２の短手方向の両側から同様の使い勝手で利用できる。また、第三態様の対面式調理台１では、天板２の短手方向における複数の加熱部３０の設置範囲を抑えることができ、天板２の短手方向の長さを抑えてコンパクトに設けることができる。
【００８５】
また、上述した実施形態１及びその変形例の対面式調理台１のように、第四態様の対面式調理台１は、第一乃至第三のいずれかの態様の対面式調理台１の特徴に加えて、下記の第四の特徴を備える。
【００８６】
すなわち、第四態様の対面式調理台１では、前記長手方向において加熱調理器３に並んで位置するシンク６を、さらに備える。
【００８７】
上記の特徴を備えることで、第四態様の対面式調理台１では、食事後に、汚れた皿等の食器５をシンク６に置くことができ、片付けがしやすい。
【００８８】
また、上述した実施形態１及びその変形例の対面式調理台１のように、第五態様の対面式調理台１は、第一乃至第四のいずれかの態様の対面式調理台１の特徴に加えて、下記の第五の特徴を備える。
【００８９】
すなわち、第五態様の対面式調理台１では、加熱調理器３は、加熱部３０を操作するための第一操作部３２０と第二操作部３２１を、さらに含む。第一操作部３２０は、第一食卓面２０の下方に設けられ、第二操作部３２１は、第二食卓面２１の下方に設けられる。
【００９０】
上記の特徴を備えることで、第五態様の対面式調理台１では、天板２の短手方向の両側から加熱部３０を操作することができて、加熱部３０の使い勝手がよい。また、第五態様の対面式調理台１では、食卓面２０，２１に操作部３２０，３２１が位置して、食器５等を置く際に、操作部３２０，３２１が邪魔になることを防ぐことができる。また、第五態様の対面式調理台１では、食卓面２０，２１に操作部３２０，３２１が位置することで、食卓面２０，２１が狭くなったり、食卓面２０，２１に段差ができることも防ぐことができる。
【００９１】
また、上述した実施形態１及びその変形例の対面式調理台１のように、第六態様の対面式調理台１は、第一乃至第五のいずれかの態様の対面式調理台１の特徴に加えて、下記の第六の特徴を備える。
【００９２】
すなわち、第六態様の対面式調理台１は、天板２を支持し、かつ天板２の下方に開放空間Ｓ１を形成するように設けられた脚部７を、さらに備える。開放空間Ｓ１は、第一食卓面２０の下方に位置し、前記短手方向の一側に開放された第一開放空間Ｓ２と、第二食卓面２１の下方に位置し、前記短手方向の他側に開放された第二開放空間Ｓ３とを含む。
【００９３】
上記の特徴を備えることで、第六態様の対面式調理台１は、天板２を挟んで対面する複数の利用者がそれぞれ、椅子１０に座って、開放空間Ｓ２，Ｓ３に脚を入れることができ、対面式調理台１をテーブルのように利用することができて、食事がしやすい。
【００９４】
また、上述した実施形態１の変形例の対面式調理台１のように、第七態様の対面式調理台１は、第一乃至第五のいずれかの態様の対面式調理台１の特徴に加えて、下記の第七の特徴を備える。
【００９５】
すなわち、第七態様の対面式調理台１は、第一食卓面２０と第二食卓面２１の下方に位置するように、天板２の下方に設けられたキャビネット８を、さらに備える。
【００９６】
上記の特徴を備えることで、第七態様の対面式調理台１では、天板２の食卓面２０，２１の下方のスペースを、食器５等の収納スペースとして有効に利用することができる。
【００９７】
また、上述した実施形態１の対面式調理台１のように、第八態様の対面式調理台１は、第一乃至第七のいずれかの態様の対面式調理台１の特徴に加えて、下記の第八の特徴を備える。
【００９８】
すなわち、第八態様の対面式調理台１では、加熱調理器３は、トッププレート３１を含んだ電磁加熱調理器である。トッププレート３１の上面と、天板２のうちトッププレート３１の周囲の部分の上面とが面一に連続する。
【００９９】
上記の特徴を備えることで、第八態様の対面式調理台１では、加熱調理器具４が置かれておらず、高温化されていなければ、加熱部３０上も食器５等を置くスペースとして、有効に利用することができる。
【０１００】
また、上述した実施形態１の変形例の対面式調理台１のように、第九態様の対面式調理台１は、第一乃至第七のいずれかの態様の対面式調理台１の特徴に加えて、下記の第九の特徴を備える。
【０１０１】
すなわち、第九態様の対面式調理台１では、加熱調理器３は、ガス調理器である。加熱部３０は、ガスバーナー３５と、その上に位置する載せ台３６である。
【０１０２】
上記の特徴を備えることで、第九態様の対面式調理台１では、ガスで加熱調理しながら、食卓面２０，２１に食器５を置いて、食事を行うことができる。
【０１０３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１０４】
１      対面式調理台
２      天板
２０    第一食卓面
２１    第二食卓面
３      加熱調理器
３０    加熱部
３１    トッププレート
３５    ガスバーナー
３６    載せ台
３２０  第一操作部
３２１  第二操作部
４      加熱調理器具
５      食器
６      シンク
７      脚部
８      キャビネット
Ｌ１    第一食卓面の長さ
Ｌ２    第二食卓面の長さ
Ｓ１    開放空間
Ｓ２    第一開放空間
Ｓ３    第二開放空間
【図１】
2019050842.tif 000003
【図２】
2019050842.tif 000004
【図３】
2019050842.tif 000005
【図４】
2019050842.tif 000006
【図５】
2019050842.tif 000007
【図６】
2019050842.tif 000008
【図７】
2019050842.tif 000009